(57)【要約】      （修正有）【課題】長期にわたって美観を保つことのできる装飾が施されたウォーターサーバー及びウォーターサーバーに装飾を施す方法を提供すること。【解決手段】ウォーターサーバー１は、給水ボトル６が上部に装着される本体３及び給水ボトル６を覆って本体３に着脱可能に固定されるカバー５を備え、本体３及びカバー５の少なくとも一部にカッティングシートによる装飾１１が施されていることを特徴とする。これによれば、カッティングシートにより任意の形状及び模様の装飾１１を作成して、ウォーターサーバー１の本体３及びカバー５の少なくとも一部に水に強く且つ長期にわたって美観を保つことのできる装飾を施すことが可能となる。【選択図】図１
2018122928.tif 000002
【特許請求の範囲】
【請求項１】
給水ボトルが上部に装着される本体と、
前記給水ボトルを覆って前記本体に着脱可能に固定されるカバーと、
を備え、前記本体及び前記カバーの少なくとも一部にカッティングシートによる装飾が施されていることを特徴とするウォーターサーバー。
【請求項２】
前記本体の給水コックを有する側を正面とし、
前記カバーの正面に前記装飾が施されることを特徴とする、請求項１に記載のウォーターサーバー。
【請求項３】
前記本体の前記正面に略垂直な面である側面に前記装飾が施されることを特徴とする、請求項１又は２に記載のウォーターサーバー。
【請求項４】
前記装飾は、所定の基準幅より大きな幅を有することを特徴とする、請求項１から３のいずれか１項に記載のウォーターサーバー。
【請求項５】
請求項４に記載のウォーターサーバーを生産するためにウォーターサーバーに装飾を施す方法であって、
装飾の基礎となる図形データに基づいて、前記装飾の図形を作成することと、
前記装飾の図形に含まれる部分のうち、前記基準幅より小さい幅を有する部分を前記基準幅以上に拡幅して前記装飾の図形を修正することと、
前記装飾の図形に基づいて、前記カッティングシートによりウォーターサーバーに装飾を施すことと、
を含むことを特徴とする、ウォーターサーバーに装飾を施す方法。
【発明の詳細な説明】
【技術分野】
【０００１】
本発明は、ウォーターサーバー及びウォーターサーバーに装飾を施す方法に関する。
【背景技術】
【０００２】
天然水などの水を含む給水ボトルをセットすることで冷水及び温水を給水するウォーターサーバーが、家庭用としても業務用としても広く使用されている（例えば、特許文献１参照）。ウォーターサーバーを業務用として、例えば顧客が出入りする応接室、待合室等に設置することがある。そこで、ウォーターサーバーに会社のロゴ等の装飾を施すことが望まれる。しかし、水が飛散することがあるため、模様を付した薄膜状シールの貼り付け、或いはインク、塗料等を用いた描画により装飾を施すことでは長期にわたって美観を保つことが困難である。
【先行技術文献】
【特許文献】
【０００３】
【特許文献１】特開２０１６−０８４１５９号公報
【発明の概要】
【発明が解決しようとする課題】
【０００４】
本発明は、長期にわたって美観を保つことのできる装飾が施されたウォーターサーバー及びウォーターサーバーに装飾を施す方法を提供することを課題とする。
【課題を解決するための手段】
【０００５】
本発明のウォーターサーバーは、
給水ボトルが上部に装着される本体と、
前記給水ボトルを覆って前記本体に着脱可能に固定されるカバーと、
を備え、前記本体及び前記カバーの少なくとも一部にカッティングシートによる装飾が施されていることを特徴とする。
【０００６】
この特徴によれば、水がかかっても接着力及び色彩を保つカッティングシートにより任意の形状の装飾を作成して、ウォーターサーバーの本体及びカバーの少なくとも一部に施すことができる。
【０００７】
本発明のウォーターサーバーは、
前記本体の給水コックを有する側を正面とし。
前記カバーの正面に前記装飾が施されることを特徴とする。
【０００８】
この特徴によれば、本体正面側の装飾を、給水を妨げることなく施すことができる。
【０００９】
本発明のウォーターサーバーは、
前記本体の前記正面に略垂直な面である側面に前記装飾が施されることを特徴とする。
【００１０】
この特徴によれば、側面にも装飾を施すことができる。
【００１１】
本発明のウォーターサーバーは、
前記装飾は、所定の基準幅より大きな幅を有することを特徴とする。
【００１２】
この特徴によれば、カッティングシートによる装飾が長期にわたって安定して美観を保つことができるものとすることができる。
【００１３】
ここで、「所定の基準幅」について説明する。カッティングシートは、安定して貼付するため、一定以上の貼付面積を必要とする。幅の小さな箇所では、貼付面積が小さいので剥がれてしまう等の問題が発生し得る。どの程度の幅を必要とするかは、カッティングシートの材質、接着剤、接着される面の材質、要求される貼付強度に依存して定まるものであるが、文字を形成する線幅として０．５ｍｍ以上が必要であると考えられている。文字に限らず図形においても同様である。所定の基準幅を０．５ｍｍとすることができる。一方、ウォーターサーバーに貼付することに鑑み、さらに大きな所定の基準幅、例えば１ｍｍ、２ｍｍ、３ｍｍ、５ｍｍ等としてもよい。
【００１４】
本発明のウォーターサーバー装飾を施す方法は、
本発明のウォーターサーバーを生産するためにウォーターサーバーを生産するためにウォーターサーバーに装飾を施す方法であって、
装飾の基礎となる図形データに基づいて、前記装飾の図形を作成することと、
前記装飾の図形に含まれる部分のうち、前記基準幅より小さい幅を有する部分を前記基準幅以上に拡幅して前記装飾の図形を修正することと、
前記装飾の図形に基づいて、前記カッティングシートによりウォーターサーバーに装飾を施すことと、
を含むことを特徴とする。
【００１５】
この特徴によれば、装飾の基礎となる図形データにおいてカッティングシートの材質により定まる基準幅より小さい幅を有する部分を前記基準幅以上に拡幅することで、装飾の基礎となる図形データに近く、かつ、カッティングシートによる装飾を施すことが可能な図形によって、ウォーターサーバーに装飾を施すことができる。
【発明の効果】
【００１６】
本発明のウォーターサーバー及びウォーターサーバーに装飾を施す方法によれば、カッティングシートにより長期にわたって美観を保つことのできる装飾が施されたウォーターサーバー、及びにウォーターサーバーに装飾を施す方法が提供される。
【図面の簡単な説明】
【００１７】
【図１】図１は、ウォーターサーバーを示す図である。
【図２】図２は、カッティングシートによる装飾の作成手順を示す図である。
【発明を実施するための形態】
【００１８】
以下、ウォーターサーバー１の実施例について説明する。
【００１９】
図１に、ウォーターサーバー１を示す。ここで、図１（Ａ）及び（Ｂ）は、それぞれ、ウォーターサーバー１の正面を示す正面図及び側面を示す側面図である。ウォーターサーバー１は、天然水などの水を含む給水ボトル６（図中、点線を用いて示す）をセットすることで冷水及び温水を給水する装置であり、ベース２、本体３、カバー５、及び装飾１１を含んで構成される。給水ボトル６は、例えば、１０〜２０リットルの水を収容する容器である。
【００２０】
ベース２は、床面上で本体３を支持する部材であり、本実施例では本体３より大きな一面と本体３を支持するのに適当な厚みを有する平板状に成形されている。
【００２１】
本体３は、サーバー装置（不図示）を内部に収容する筐体である。本実施例では、ベース２上に立設する立方体状に、ただし正面に奥方に凹む給水空間３ａが成形され、天面に給水ボトル６を下向きに支持してその給水口を着脱可能に装着する固定具（不図示）、内部にサーバー装置の各部、すなわち、固定具から給水ボトル６内の水を誘導する管状部材、管状部材を介して送られる水を貯える温水タンク及び冷水タンク、温水タンク内の水を加熱するヒータ、冷水タンク内の水を冷却するクーラ（いずれも不図示）、正面の給水空間３ａに温水タンク及び冷水タンク内の水をそれぞれ排出する２つの給水コック４１，４２が設けられている。ヒータ及びクーラは、外部電源（不図示）から受電して作動する。給水コック４１，４２はそれぞれ取手４１ａ，４２ａを有し、カップの口を給水コック４１，４２の下に配してカップを正面側から取手４１ａ，４２ａに当接して奥方に押すことで、給水コック４１，４２から水がカップ内に給水される。
【００２２】
カバー５は、本体３の天面に装着された給水ボトル６を覆って本体３に着脱可能に固定される箱体である。カバー５は、一例として、給水ボトル６内の水の量を視認できるように透明又は半透明の部材より成形されている。
【００２３】
装飾１１は、ウォーターサーバー１を装飾する部材である。ウォーターサーバー１においては水が飛散することもあるため、装飾１１はカッティングシートにより成形したものを採用する。ここで、カッティングシートは、表面が彩色され、裏面に接着剤が塗られ、自由に図形を切り出して貼り付けることができる装飾用シートである。
【００２４】
カッティングシートは、例えば、塩化ビニル系樹脂、ポリエステル系樹脂、ウレタン系樹脂等を基材とし、その材質により所定の基準幅よりも小さい幅の装飾１１は貼付強度が不足する。そこで、後述するように、装飾１１は、所定の基準幅より大きな幅を有するように拡幅される。本実施例では、所定の基準幅を２ｍｍとする。
【００２５】
装飾１１は、カバー５の正面に施されている。それにより、給水コック４１，４２からの給水を妨げることなく、ウォーターサーバー１に装飾１１を施すことができる。また、正面に装飾が施されるので、会社のロゴ等を多くの者に見せることができる。
【００２６】
装飾１２は、カバー５の正面及び本体３の給水コック４１，４２を有する正面と異なる一面、すなわち側面に施されている。それにより、給水コック４１，４２からの給水を妨げることなく、ウォーターサーバー１に装飾１１を施すことができる点は、装飾１１と同様である。所定の基準幅については装飾１１と同様であるが、本体３とカバー５の材質の相違等に基づいて異なる値としてもよい。
【００２７】
なお、本実施例では、装飾１２を本体３の側面の一方の上方に施した。側面の下方、カー５の側面等に施してもよい。また、これらの複数に施してもよい。さらに、本体３又はカバー５の側面の一方でなく両方に施してもよい。
【００２８】
装飾１１及び装飾１２については、いずれか一方のみを施してもよい。
【００２９】
以下、カッティングシート１０による装飾１１及び１２の作成手順を示す。
【００３０】
図２に、カッティングシートによる装飾の作成手順を示す。図は、装飾１１を示すが、装飾１２についても同様である。図２（Ａ）は、装飾１１の基礎となる図形データを示し、図２（Ｂ）は、装飾１１の形状を示す。
【００３１】
まず、図２（Ａ）に示すように、装飾１１の基礎となる図形データ１１ｄを入手する。ここでは一例として大小２枚のもみじ葉の形状の図形とする。小さなもみじ葉の幹の部分の図形１１ａが、基準幅よりも幅が狭い。
【００３２】
次に、図２（Ｂ）に示すように、基準幅よりも狭い図形１１ａを基準幅の図形１１ｂに拡幅する。
【００３３】
最後に、カッティングシートを図形１１ｂの形状にして、装飾１１を作成する。図１に示すようにカバー５の正面に貼り付けることで、図形１１ｂに基づいてウォーターサーバー１に装飾１１が施される。装飾１１の形状は図形データ１１ｄと微妙に相違するが、大小２枚のもみじ葉の形状は保たれており、例えば会社のロゴが装飾された印象を与えることができる。
【００３４】
以上詳細に説明したように、本実施例に係るウォーターサーバー１は、給水ボトル６が上部に装着される本体３及び給水ボトル６を覆って本体３に着脱可能に固定されるカバー５を備え、本体３及びカバー５の少なくとも一部にカッティングシート１０による装飾１１が施されているものである。また、本実施例に係る方法によれば、ウォーターサーバー１の本体３及びカバー５の少なくとも一部に水に強く且つ美しい装飾を施すことが可能となる。
【産業上の利用可能性】
【００３５】
本発明のウォーターサーバーは、会社のロゴ等の装飾を有するものである。多くの企業における利用が考えられる。また、本発明のウォーターサーバーに装飾を施す方法は、ウォーターサーバーに装飾を施すのに好適である。多くのウォーターサーバー提供者における利用が考えられる。
【符号の説明】
【００３６】
１      ウォーターサーバー
２      ベース
３      本体
３ａ    給水空間
４１    給水コック
４１ａ  取手
４２    給水コック
４２ａ  取手
５      カバー
６      給水ボトル
１１      装飾
１１ａ    図形
１１ｂ    図形
１１ｄ    図形データ
１２      装飾
【図１】
2018122928.tif 000003
【図２】
2018122928.tif 000004